(57)【要約】【課題】本考案は、残像現象を理解させることができ、自転車に適用したときは交通安全に寄与し、停止時には広告機能、回転中は同心多色の色彩が得られることによる注意喚起機能を発揮しうる標示体を提案する。【解決手段】本体１０を円弧状の帯体とし、本体１０の両端は円弧中心に向かう線とほぼ一致するようにし、かつ両端には係合部１１を形成し、本体には複数の色彩１５を帯状に表面又は及び裏面に施し、両端の円弧中心に向かう角度ａは円周の１／４ないし１／８の範囲に一致するように設定した回転体の標示体である。【選択図】　　　　図１
0003098648.tif 000002
【実用新案登録請求の範囲】
【請求項１】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定したことを特徴とする回転体の標示体。
【請求項２】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定し、かつ文字、図形もしくは記号又はこれらと色彩の組み合わせによる標識を表面又は及び裏面に施したことを特徴とする回転体の標示体。
【請求項３】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定し、両端のなす角度は約５０〜６５゜に設定し、約１２０゜間隔に３枚一組を回転体に取り付けたことを特徴とする回転体の標示体。
【請求項４】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定し、両端のなす角度は約５０〜６５゜に設定し、約１２０゜間隔に３枚一組を回転体に取り付け、かつ文字、図形もしくは記号又はこれらと色彩の組み合わせによる標識を表面又は及び裏面に施したことを特徴とする回転体の標示体。
【請求項５】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定し、円弧状帯体の材質を金属性とし、帯体両端の係合部を折り曲げて回転体に取り付けたことを特徴とする回転体の標示体。
【請求項６】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定し、円弧状帯体の材質を金属性とし、帯体両端の係合部を折り曲げて回転体に取り付け、かつ文字、図形もしくは記号又はこれらと色彩の組み合わせによる標識を表面又は及び裏面に施したことを特徴とする回転体の標示体。
【請求項７】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は５０〜６５゜の範囲に一致するように設定し、円弧状帯体の材質を金属性とし、帯体両端の係合部を折り曲げて回転体に取り付けたことを特徴とする回転体の標示体。
【請求項８】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は５０〜６５゜の範囲に一致するように設定し、円弧状帯体の材質を金属性とし、帯体両端の係合部を折り曲げて回転体に取り付け、かつ文字、図形もしくは記号又はこれらと色彩の組み合わせによる標識を表面又は及び裏面に施したことを特徴とする回転体の標示体。
【請求項９】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定し、円弧状帯体の材質を樹脂性とし、帯体両端の係合部を一体に成型して回転体の取り付け部にはめ込むようにして回転体に取り付けたことを特徴とする回転体の標示体。
【請求項１０】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定し、円弧状帯体の材質を樹脂性とし、帯体両端の係合部を一体に成型して回転体の取り付け部にはめ込むようにし、かつ文字、図形もしくは記号又はこれらと色彩の組み合わせによる標識を表面又は及び裏面に施したことを特徴とする回転体の標示体。
【請求項１１】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は５０〜６５゜の範囲に一致するように設定し、円弧状帯体の材質を樹脂性とし、帯体両端の係合部を一体に成型して回転体の取り付け部にはめ込むようにし、円弧状帯体の材質を金属性とし、帯体両端の係合部を折り曲げて回転体に取り付けたことを特徴とする回転体の標示体。
【請求項１２】
円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は５０〜６５゜の範囲に一致するように設定し、円弧状帯体の材質を樹脂性とし、帯体両端の係合部を一体に成型して回転体の取り付け部にはめ込むようにし、かつ文字、図形もしくは記号又はこれらと色彩の組み合わせによる標識を表面又は及び裏面に施したことを特徴とする回転体の標示体。
【請求項１３】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は円周の１／４ないし１／８の範囲に一致するように設定したことを特徴とする回転体の標示体。
【請求項１４】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は円周の１／４ないし１／８の範囲に一致するように設定し、かつ文字、図形もしくは記号又はこれらと色彩の組み合わせによる標識を表面又は及び裏面に施したことを特徴とする回転体の標示体。
【請求項１５】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は円周の１／４ないし１／８の範囲に一致するように設定し、両端のなす角度は約５０〜６５゜に設定し、約１２０゜間隔に３枚一組を回転体に取り付けたことを特徴とする回転体の標示体。
【請求項１６】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は円周の１／４ないし１／８の範囲に一致するように設定し、両端のなす角度は約５０〜６５゜に設定し、約１２０゜間隔に３枚一組を回転体に取り付け、かつ文字、図形もしくは記号又はこれらと色彩の組み合わせによる標識を表面又は及び裏面に施したことを特徴とする回転体の標示体。
【請求項１７】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は円周の１／４ないし１／８の範囲に一致するように設定し、円弧状帯体の材質を金属性とし、帯体両端の係合部を折り曲げて回転体に取り付けたことを特徴とする回転体の標示体。
【請求項１８】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は円周の１／４ないし１／８の範囲に一致するように設定し、円弧状帯体の材質を金属性とし、帯体両端の係合部を折り曲げて回転体に取り付け、かつ文字、図形もしくは記号又はこれらと色彩の組み合わせによる標識を表面又は及び裏面に施したことを特徴とする回転体の標示体。
【請求項１９】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は５０〜６５゜の範囲に一致するように設定し、円弧状帯体の材質を金属性とし、帯体両端の係合部を折り曲げて回転体に取り付けたことを特徴とする回転体の標示体。
【請求項２０】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は５０〜６５゜の範囲に一致するように設定し、円弧状帯体の材質を金属性とし、帯体両端の係合部を折り曲げて回転体に取り付け、かつ文字、図形もしくは記号又はこれらと色彩の組み合わせによる標識を表面又は及び裏面に施したことを特徴とする回転体の標示体。
【請求項２１】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は円周の１／４ないし１／８の範囲に一致するように設定し、円弧状帯体の材質を樹脂性とし、帯体両端の係合部を一体に成型して回転体の取り付け部にはめ込むようにして回転体に取り付けたことを特徴とする回転体の標示体。
【請求項２２】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は円周の１／４ないし１／８の範囲に一致するように設定し、円弧状帯体の材質を樹脂性とし、帯体両端の係合部を一体に成型して回転体の取り付け部にはめ込むようにし、かつ文字、図形もしくは記号又はこれらと色彩の組み合わせによる標識を表面又は及び裏面に施したことを特徴とする回転体の標示体。
【請求項２３】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は５０〜６５゜の範囲に一致するように設定し、円弧状帯体の材質を樹脂性とし、帯体両端の係合部を一体に成型して回転体の取り付け部にはめ込むようにし、円弧状帯体の材質を金属性とし、帯体両端の係合部を折り曲げて回転体に取り付けたことを特徴とする回転体の標示体。
【請求項２４】
円弧状の帯体とし、その両端は円弧中心に向かう線とほぼ一致するようにし、かつ両端には係合部を形成し、帯体には７色の色彩を表面又は及び裏面に施し、両端の円弧中心に向かう角度は５０〜６５゜の範囲に一致するように設定し、円弧状帯体の材質を樹脂性とし、帯体両端の係合部を一体に成型して回転体の取り付け部にはめ込むようにし、かつ文字、図形もしくは記号又はこれらと色彩の組み合わせによる標識を表面又は及び裏面に施したことを特徴とする回転体の標示体。
【考案の詳細な説明】
【０００１】
【考案の属する技術分野】
本考案は、例えば自転車の車輪のスポーク部分に取り付けて回転時に多色の例えば虹色の同心状色彩が発現するようにした回転物の標示体に関する。
【０００２】
【従来の技術】
従来、回転体として色彩を発現させるものは多く存在する。例えば学童の理科教材として「残像現象」を理解させるための教材としても様々な構造のものが知られている。特に回転することにより連続的に光が動くように見えるものとして、例えば特開平１０−１２３４６３号公報がある。これは偏向板を用いて複屈折現象を利用して複雑な光の表現を可能にして広告効果を高めたものである。
【０００３】
しかし、偏光板を光が透過することにより起きる残像現象を利用しているものの、特殊な光源を要して構成が複雑である。
【０００４】
他方、回転表示物を自転車等に取り付けて表示をすることにより交通安全を図るものとして、例えば特開平１０−２４７６４号公報がある。これは自転車の横方向に対する第三者からの視認性を向上させるために案出され、電池駆動によるＬＥＤによる発光手段を発光させることにより人間の視覚残像により表示させたものである。
【０００５】
しかし、この従来例では、電池を採用しているので、電池を走行の度に切る手間がかかり、放置すると夜間走行時必要なときに電池切れで役に立たなくなるという欠点があり、また回転軸中心付近に設置されるもののため、その表示は径小になり、遠方からの視認性が劣り、そのアピール度合いは小さいという欠点がある。
【０００６】
【考案が解決しようとする課題】
本考案は、かかる課題に対して、簡単な構成により、残像現象を理解させることができ、自転車に適用したときは交通安全に寄与し、停止時には広告機能、回転中は同心多色の色彩が得られることによる注意喚起機能を発揮しうる標示体を提案することを主たる目的とする。
【０００７】
本考案の他の目的は以下に記載される。
【０００８】
【課題を解決するための手段】
本考案は第１に、円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定した回転体の標示体である。
【０００９】
本考案は第２に、円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定し、かつ文字、図形もしくは記号又はこれらと色彩の組み合わせによる標識を表面又は及び裏面に施した回転体の標示体である。
【００１０】
更に両端のなす角度は約５０〜６５゜に設定し、約１２０゜間隔に３枚一組を回転体に取り付けた標示体である。
【００１１】
更に、円弧状帯体の材質を金属性とし、帯体両端の係合部を折り曲げて回転体に取り付けた標示体である。
【００１２】
更に、円弧状帯体の材質を樹脂性とし、帯体両端の係合部を一体に成型して回転体の取り付け部にはめ込むようにした標示体である。
【００１３】
更に、帯体に施した色彩を７色に設定した標示体である。
【００１４】
【考案の実施の形態】
図１は本考案の一例を示す図であり、自転車の後輪に取り付けうる一例を示す図である。１０は本体を示し、本体１０は全体が円弧帯状を呈し、径大部は自転車の２６インチタイヤのリム内径にほぼ一致するような寸法にし、その幅は３〜１０ｃｍ程度に設定される。そして本体の円弧角度ａは円弧中心より約５５゜となるように構成される。その角度は実際に取り付けを勘案して±１０％（又は５０〜６５゜の範囲）の変形をすることができる。そして本体の端部は被取り付け部例えば自転車のスポークに固定可能なように、折り曲げ想像線ｂより突出した折り曲げ部１１が形成されている。折り曲げ部１１は折り曲げの便宜のため複数の半円状に形成されている。その素材としては、金属性（アルミニウム、亜鉛メッキ鋼板）、合成樹脂等、多少可撓性の材質が取り付けのためには良好である。
【００１５】
この場合、合成樹脂製は、図２に示すように、スポーク１３の位置・太さに一致する取り付け部１２を予め型で成型しておき、取り付けの際は、本体１０を少し曲げつつスポーク等にはめ込むことにより固定化できる。
【００１６】
本体１０には虹色すなわち７色の同心円の帯状の色彩１５が施されている。色彩１５は直接素材に着色、塗装、印刷、腐食加工等の手段を採りうる。又は色彩された帯を本体１０に列単位で又は全体として張り付けても良い。また７色に限らず、３色、４色、５色、６色、又は８色以上にしてもよい。更に本体１０の表面のみならず、裏面にも同様の色彩を施し、同一の配列に倣っても良いし、他の配色にして左右の区別をしてもよい。そして目立たせるため、蛍光色を用いることができる。
【００１７】
次に、自転車の後輪側又は前輪側のスポークに取り付けた構造について説明する。自転車は、通常スポークの数が３６本にて構成され、図３に示すように、スポーク１３のうち、ある位置における７本分は常に回転中心から約５５゜前後に設定されている。そのため、本体の折り曲げ想像線ｂと自転車スポークのある７本の両側のスポーク同士の角度とはほぼ一致する。そこで、約１２０゜間隔に３枚を用いてスポーク１３に固定化する。空き部分も約１２０゜間隔で３カ所発生する。尚、スポークの構造により、５５〜６５゜の範囲で変更することができる。
【００１８】
実際に本体を取り付けるには、７本のスポーク１３に対し、図３に示すように、本体の一端側から順次挿し込みかつスポーク１３の奇数分が本体の左側に、偶数側が本体の右側になるように蛇行しながら挿し込んでいくことにより、本体の弾性反発によって各スポークと摩擦が生じて固定化される。更に、スポーク１３に対し、折り曲げ想像線に沿って折り曲げることにより、本体は固定が確実にされる。尚、固定の手段は、更に別のネジにて係止しても良いし、他の慣用手段が採りうる。
【００１９】
固定された本体は、車輪回転中心に向かって狭くなっているので、移動することができないので、容易に外れることがない。更に、車輪の回転中に、遠心力が作用するので、外れることがない。
【００２０】
自転車の利用すなわち車輪の回転中、５５〜６５゜間隔で３枚を用いた場合、人間の目の残像作用により、７色に色彩された場合は７色の同心円形色彩が発現することになる。この場合、夜行塗料を色彩することにより、夜間時自転車走行の存在が光が反射し他者への注意を喚起して、交通安全に寄与することになる。また昼間であっても、複数の帯が発現するので大いに目立ち、更に、駐輪時には他の自転車と外観が異なって目立つため、他の自転車との識別及び盗難防止にも役立つ。
【００２１】
図４は、本考案の他の例を示す図である。この例は、全体に上記例に施した複数の色彩部分に更に、文字、図形もしくは記号又はこれらの組み合わせとした標識１６例えば自転車の所有者名、一般的な宣伝文句等を併記したものである。
【００２２】
したがって、被取り付け体例えば自転車の駐輪中（回転停止中）は、文字等が確認できるので、自転車の所有関係が判明するし、また宣伝文句であれば、広告宣伝効果を発揮する。そして車輪回転中はその文字等は視覚上無視されて本来の７色が残像として同心円形に見えることになる。したがって、この例では、本来の回転中の色彩効果と同時に停止中の宣伝効果、出所表示効果を発揮できる。
【００２３】
以上の説明は、主として自転車に適用した場合であったが、他の回転体例えば自動二輪車（スポーク付き）、理科教材用回転体（スポーク付き）又は６０゜間隔の支持体を放射状に設けた回転体一般にも適用できることは勿論である。回転体一般に用いるときは、特に６０゜に限定されず、円周の１／４ないし１／８の範囲内で、円弧長さを増減しても良い。
【００２４】
【考案の効果】
以上のように本考案によれば、円弧状の帯体とし、その両端は円弧中心に向かう線とほぼ一致するようにし、かつ両端には係合部を形成し、帯体には複数の色彩を表面又は及び裏面に施し、両端の円弧中心に向かう角度は円周の１／４ないし１／８の範囲に一致するように設定し、回転体の標示体としたので、７色の色彩として回転したときは、虹色が発現して看者に同心円形の鮮やかな色彩を生ずることになる。これにより自転車に取り付け走行時には、通常の自転車より派手な色のものと認識される。
【００２５】
また文字、図形もしくは記号又はこれらと色彩の組み合わせによる標識例えば所有者の名称・宣伝文句等を表面又は及び裏面に施したものとすることにより、回転停止中は標識が看者に認識されるので、出所機能や宣伝機能を発揮し、回転中は標識部分は認識できなくなって、同心円の色彩が円形になって看者に認識されるので、停止・回転時に双方の機能を発揮する。
【図面の簡単な説明】
【図１】本考案の一例を示す図
【図２】本体とスポークとの取り付け関係を示す図
【図３】本体とスポークとの取り付け詳細を示す図
【図４】本考案の他の例を示す図
【符号の説明】
１０　本体
１５　複数の色彩
１６　標識等
【図１】
0003098648.tif 000003
【図２】
0003098648.tif 000004
【図３】
0003098648.tif 000005
【図４】
0003098648.tif 000006